(57)【要約】【課題】トレイに載置される被記録媒体の情報を容易に設定できるようにする。【解決手段】画像処理装置において、特定のトレイと、特定の設定要素を有する被記録媒体と、が対応付けられたトレイ要素対応情報を登録することができる。いずれかのトレイが特定操作（例えば画像処理装置から離脱）されると、トレイ設定画面４５が表示される。このとき、特定操作されたトレイを含むトレイ要素対応情報が登録されている場合は、トレイ設定画面４５に、そのトレイ要素対応情報を示す特定要素オブジェクト４９が表示される。特定要素オブジェクト４９が選択操作されると、特定要素オブジェクト４９に対応した設定要素の被記録媒体が、特定操作されたトレイに載置される被記録媒体として設定される。【選択図】図５
2020167455.tif 000002
【特許請求の範囲】
【請求項１】
被記録媒体が載置される少なくとも１つのトレイと、
前記少なくとも１つのトレイの各々に設けられ、対応する前記トレイに対して特定操作がなされたことを検知する検知部と、
表示部と、
入力部と、
制御部と、
を備える画像処理装置であって、
前記制御部は、
特定の前記トレイと、特定の設定要素を有する前記被記録媒体と、が対応付けられたトレイ要素対応情報を登録する対応情報登録処理と、
前記検知部により前記少なくとも１つのトレイのうちのいずれかに前記特定操作がなされたことが検知されることに応じて、その検知されたトレイである検知トレイに載置される前記被記録媒体の設定を受け付けるためのトレイ設定画面を前記表示部に表示する設定画面表示処理であって、前記検知トレイを含む前記トレイ要素対応情報が登録されている場合はそのトレイ要素対応情報において前記検知トレイに対応付けられている前記被記録媒体の設定要素を示す特定要素オブジェクトを含む前記トレイ設定画面を表示する、前記設定画面表示処理と、
前記トレイ設定画面が表示されている状態で前記入力部を介して前記特定要素オブジェクトが選択操作された場合、その特定要素オブジェクトに対応した設定要素の前記被記録媒体を、前記検知トレイに載置される前記被記録媒体である載置媒体として設定するトレイ設定処理と、
を実行する画像処理装置。
【請求項２】
請求項１に記載の画像処理装置であって、
前記特定操作は、前記トレイを前記画像処理装置から離脱させる操作、前記トレイを前記画像処理装置に装着する操作、および前記画像処理装置に装着されている前記トレイに前記被記録媒体を載置する操作、のうちの少なくとも１つを含む、
画像処理装置。
【請求項３】
請求項１または請求項２に記載の画像処理装置であって、
前記制御部は、前記設定画面表示処理において、前記検知トレイに対して現在設定されている前記載置媒体の設定要素を示す現設定要素オブジェクトを含む前記トレイ設定画面を表示し、
前記制御部は、さらに、
前記トレイ設定画面が表示されている状態で前記入力部を介して前記現設定要素オブジェクトが選択操作された場合、前記表示部に前記トレイ設定画面とは異なる特定の待機画面を表示する設定維持処理、
を実行し、
前記制御部は、前記設定画面表示処理において、前記検知トレイを含む前記トレイ要素対応情報が登録されている場合であっても、そのトレイ要素対応情報において前記検知トレイに対応付けられている前記被記録媒体の設定要素が、前記検知トレイに対して現在設定されている前記載置媒体の設定要素に一致する場合は、そのトレイ要素対応情報において前記検知トレイに対応付けられている前記被記録媒体の設定要素を示す前記特定要素オブジェクトを含まない前記トレイ設定画面を表示する、
画像処理装置。
【請求項４】
請求項１〜請求項３のいずれか１項に記載の画像処理装置であって、
前記設定要素は、前記被記録媒体の種類およびサイズを含む、画像処理装置。
【請求項５】
請求項４に記載の画像処理装置であって、
前記制御部は、さらに、
特定の１つの前記種類と特定の１つの前記サイズとの組み合わせである組合せ情報を登録する組合せ情報登録処理、
を実行し、
前記制御部は、前記設定画面表示処理において、登録されている前記組合せ情報の１つを選択させるための組合せオブジェクトを含む前記トレイ設定画面を表示し、
前記制御部は、さらに、
前記トレイ設定画面が表示されている状態で前記入力部を介して前記組合せオブジェクトが選択操作された場合、登録されている前記組合せ情報の１つに対応した種類およびサイズの前記被記録媒体を前記載置媒体として設定する選択設定処理、
を実行する画像処理装置。
【請求項６】
請求項４に記載の画像処理装置であって、
前記制御部は、さらに、
特定の１つの前記種類と特定の１つの前記サイズとの組み合わせである組合せ情報を登録する組合せ情報登録処理、
を実行し、
前記対応情報登録処理は、
登録されている前記組合せ情報のうちの１つを選択させるための組合せ選択画面を前記表示部に表示する第１の選択画面表示処理と、
前記組合せ選択画面に対する前記入力部を介した選択操作に応じて、登録されている前記組合せ情報のうちの１つを選択する第１の選択処理と、
前記少なくとも１つのトレイのうちの少なくとも１つを選択させるためのトレイ選択画面を前記表示部に表示する第２の選択画面表示処理と、
前記トレイ選択画面に対する前記入力部を介した選択操作に応じて、前記少なくとも１つのトレイのうちの少なくとも１つを選択する第２の選択処理と、
前記第２の選択処理で選択された前記トレイと、前記第１の選択処理で選択された前記組合せ情報に対応した前記被記録媒体とが対応付けられた前記トレイ要素対応情報を登録する選択登録処理と、
を含む、画像処理装置。
【請求項７】
請求項６に記載の画像処理装置であって、
前記制御部は、さらに、
前記第２の選択処理で選択された前記トレイを含む前記トレイ要素対応情報がすでに１つ以上登録されている場合、そのすでに登録されている前記１つ以上の前記トレイ要素対応情報の各々に対応した前記特定要素オブジェクトと前記選択登録処理で登録される前記トレイ要素対応情報に対応した前記特定要素オブジェクトとの、前記トレイ設定画面における相対的位置関係を決定させるための表示位置決定画面を前記表示部に表示する位置決定表示処理と、
前記表示位置決定画面が表示されている状態で前記入力部を介して行われる、前記相対的位置関係を決定するための位置決定操作に応じて、前記相対的位置関係を決定する位置決定処理と、
を実行し、
前記制御部は、前記設定画面表示処理において、前記トレイ設定画面に含まれる前記特定要素オブジェクトが複数ある場合は、その複数の前記特定要素オブジェクトを、前記位置決定処理で決定された前記相対的位置関係となるように配置する、
画像処理装置。
【請求項８】
請求項１〜請求項７のいずれか１項に記載の画像処理装置であって、
前記画像処理装置は、複数の前記トレイを備える、画像処理装置。
【請求項９】
被記録媒体が載置される少なくとも１つのトレイと、
前記少なくとも１つのトレイの各々に設けられ、対応する前記トレイに対して特定操作がなされたことを検知する検知部と、
を備えた画像処理装置で用いられるトレイ設定方法であって、
特定の前記トレイと、特定の設定要素を有する前記被記録媒体と、が対応付けられたトレイ要素対応情報を登録する対応情報登録ステップと、
前記検知部により前記少なくとも１つのトレイのうちのいずれかに前記特定操作がなされたことが検知されることに応じて、その検知されたトレイである検知トレイに載置される前記被記録媒体の設定を受け付けるためのトレイ設定画面を表示する設定画面表示ステップであって、前記検知トレイを含む前記トレイ要素対応情報が登録されている場合はそのトレイ要素対応情報において前記検知トレイに対応付けられている前記被記録媒体の設定要素を示す特定要素オブジェクトを含む前記トレイ設定画面を表示する、前記設定画面表示ステップと、
前記トレイ設定画面が表示されている状態で前記特定要素オブジェクトが選択操作された場合、その特定要素オブジェクトに対応した設定要素の前記被記録媒体を、前記検知トレイに載置される前記被記録媒体である載置媒体として設定するトレイ設定ステップと、
を有するトレイ設定方法。
【請求項１０】
被記録媒体が載置される少なくとも１つのトレイと、
前記少なくとも１つのトレイの各々に設けられ、対応する前記トレイに対して特定操作がなされたことを検知する検知部と、
表示部と、
入力部と、
制御部と、
を備えた画像処理装置における前記制御部が実行可能なトレイ設定プログラムであって、
前記制御部に、
特定の前記トレイと、特定の設定要素を有する前記被記録媒体と、が対応付けられたトレイ要素対応情報を登録する対応情報登録処理と、
前記検知部により前記少なくとも１つのトレイのうちのいずれかに前記特定操作がなされたことが検知されることに応じて、その検知されたトレイである検知トレイに載置される前記被記録媒体の設定を受け付けるためのトレイ設定画面を前記表示部に表示する設定画面表示処理であって、前記検知トレイを含む前記トレイ要素対応情報が登録されている場合はそのトレイ要素対応情報において前記検知トレイに対応付けられている前記被記録媒体の設定要素を示す特定要素オブジェクトを含む前記トレイ設定画面を表示する、前記設定画面表示処理と、
前記トレイ設定画面が表示されている状態で前記入力部を介して前記特定要素オブジェクトが選択操作された場合、その特定要素オブジェクトに対応した設定要素の前記被記録媒体を、前記検知トレイに載置される前記被記録媒体である載置媒体として設定するトレイ設定処理と、
を実行させるためのトレイ設定プログラム。
【発明の詳細な説明】
【技術分野】
【０００１】
本発明は、トレイに載置された被記録媒体に画像を形成する画像処理装置に関する。
【背景技術】
【０００２】
特許文献１には、複数の給紙カセットを備えた印刷装置が開示されている。特許文献１に開示された印刷装置では、給紙カセットが印刷装置に挿入されたことが検知されると、その給紙カセットに載置されている被記録媒体の情報（例えばサイズおよび種類）を設定させるための設定画面が表示される。ユーザは、その設定画面を介して、挿入した給紙カセットに載置されている被記録媒体の情報を設定することができる。
【先行技術文献】
【特許文献】
【０００３】
【特許文献１】特開２０１６−０３６９７９号公報
【発明の概要】
【発明が解決しようとする課題】
【０００４】
設定画面を介して被記録媒体の情報を設定する際、設定操作が複雑であったり、多くの操作を要したりすると、ユーザにとって使い勝手が良いとは言い難い。ユーザにとっては、できる限り少ない手数で被記録媒体の情報を設定できることが望まれる。
【０００５】
本発明は上記課題に鑑みなされたものであり、トレイに載置される被記録媒体の情報を容易に設定できるようにすることを目的とする。
【課題を解決するための手段】
【０００６】
本発明の画像処理装置は、被記録媒体が載置される少なくとも１つのトレイと、検知部と、表示部と、入力部と、制御部とを備える。検知部は、前記少なくとも１つのトレイの各々に設けられ、対応するトレイに対して特定操作がなされたことを検知する。制御部は、対応情報登録処理と、設定画面表示処理と、トレイ設定処理とを実行する。
【０００７】
対応情報登録処理は、トレイ要素対応情報を登録する処理である。トレイ要素対応情報は、特定のトレイと、特定の設定要素を有する被記録媒体と、が対応付けられた情報である。
【０００８】
設定画面表示処理は、前記少なくとも１つのトレイのうちのいずれかに特定操作がなされたことが検知部により検知されることに応じて、トレイ設定画面を表示部に表示する処理である。トレイ設定画面は、検知部により検知されたトレイである検知トレイに載置される被記録媒体の設定を受け付けるための画面である。設定画面表示処理では、検知トレイを含むトレイ要素対応情報が登録されている場合は、特定要素オブジェクトを含むトレイ設定画面を表示する。特定要素オブジェクトは、検知トレイを含むトレイ要素対応情報において検知トレイに対応付けられている被記録媒体の設定要素を示す。
【０００９】
トレイ設定処理は、トレイ設定画面が表示されている状態で入力部を介して特定要素オブジェクトが選択操作された場合、その特定要素オブジェクトに対応した設定要素の被記録媒体を、検知トレイに載置される被記録媒体である載置媒体として設定する処理である。
【００１０】
このような構成によれば、いずれかのトレイについてトレイ要素対応情報を登録しておくことで、そのトレイに対応したトレイ設定画面に、登録したトレイ要素対応情報における設定要素を示す特定要素オブジェクトを表示させることができる。ユーザは、その特定要素オブジェクトを選択操作することで、その特定要素オブジェクトに対応した設定要素の被記録媒体をそのトレイの載置媒体として容易に設定することができる。
【図面の簡単な説明】
【００１１】
【図１】実施形態の画像処理装置の構成を示すブロック図である。
【図２】トレイ設定画面を起点とする画面遷移例の一部を示す説明図である。
【図３】トレイ設定画面を起点とする画面遷移例の他の一部（図２の続き）を示す説明図である。
【図４】トレイ設定画面を起点とする画面遷移例のさらに他の一部（図３の続き）を示す説明図である。
【図５】設定パターン１におけるトレイ設定画面の例を示す説明図である。
【図６】設定パターン２におけるトレイ設定画面の例を示す説明図である。
【図７】トレイ設定処理のフローチャートの一部である。
【図８】トレイ設定処理のフローチャートの他の一部（図７の続き）である。
【図９】トレイ設定処理のフローチャートのさらに他の一部（図８の続き）である。
【発明を実施するための形態】
【００１２】
以下、本発明の実施形態について、図面を参照しながら説明する。
（１）画像処理装置の構成
図１に示す本実施形態の画像処理装置１０は、例えばスキャン機能、印刷機能、コピー機能、ファクス機能などの、複数の機能を備えている。スキャン機能は、原稿の画像を読み取ってその読み取った画像の画像データを生成する機能である。印刷機能は、シート状の記録用紙へ画像を印刷する機能である。コピー機能は、スキャン機能により読み取った画像を印刷機能により印刷する機能である。ファクス機能は、ファクシミリデータの送受信を行う機能である。
【００１３】
図１に示すように、画像処理装置１０は、制御部１１と、記憶部１２と、表示部１３と、入力部１４と、読取部１５と、印刷部１６と、メディアインタフェース部１７と、第１通信部１８と、第２通信部１９と、第１トレイセンサ２３と、第２トレイセンサ２４と、用紙センサ２５とを備え、これらがバス２０を介して相互に接続されている。なお、メディアインタフェース部のことを、以下「メディアＩ／Ｆ」と略称する。
【００１４】
画像処理装置１０は、さらに、第１トレイ３と、第２トレイ４と、多目的トレイ５とを備える。第１トレイ３、第２トレイ４および多目的トレイ５は、画像処理装置１０の筐体（不図示）に対して着脱可能に構成されている。
【００１５】
第１トレイ３、第２トレイ４および多目的トレイ５には、記録用紙が載置される。第１トレイ３、第２トレイ４および多目的トレイ５には、それぞれ、１種類以上の用紙サイズ及び用紙タイプの記録用紙を載置可能である。
【００１６】
第１トレイ３に載置可能な記録用紙の用紙サイズは、例えば、Ａ４、Ａ３、Ｂ５、ＵＳレター、Ｌ判、２Ｌ判、ハガキ、ポストカード、封筒などの複数の用紙サイズのうちの少なくとも１つを含んでいてもよい。第２トレイ４および多目的トレイ５に載置可能な記録用紙の用紙サイズについても同様である。なお、載置可能な記録用紙の用紙サイズがトレイ毎に異なっていてもよい。
【００１７】
第１トレイ３に載置可能な記録用紙の用紙タイプは、例えば、普通紙、インクジェット紙、ベンダ専用紙、光沢紙などの複数の用紙タイプのうちの少なくとも１つを含んでいてもよい。第２トレイ４及び多目的トレイ５に載置可能な記録用紙の用紙タイプについても同様である。載置可能な記録用紙の用紙タイプがトレイ毎に異なっていてもよい。
【００１８】
なお、第１トレイ３および第２トレイ４は、例えば略箱形のトレイであり、ユーザにより予め記録用紙が収容されて画像処理装置１０に装着されることが想定されたトレイである。一方、多目的トレイ５は、例えば板状のトレイであり、基本的に、印刷が行われる際にユーザにより必要な記録用紙が載置されることが想定されたトレイである。
【００１９】
第１トレイセンサ２３は、第１トレイ３が画像処理装置１０に装着されているか否かを検知する。具体的に、第１トレイセンサ２３は、第１トレイ３が画像処理装置１０に装着されると、第１トレイ装着信号をバス２０へ出力し、第１トレイ３が画像処理装置１０から離脱されると、第１トレイ離脱信号をバス２０へ出力する。
【００２０】
第２トレイセンサ２４は、第２トレイ４が画像処理装置１０に装着されているか否かを検知する。具体的に、第２トレイセンサ２４は、第２トレイ４が画像処理装置１０に装着されると、第２トレイ装着信号をバス２０へ出力し、第２トレイ４が画像処理装置１０から離脱されると、第２トレイ離脱信号をバス２０へ出力する。
【００２１】
用紙センサ２５は、多目的トレイ５に記録用紙がセット（即ち載置）されているか否かを検知する。具体的に、用紙センサ２５は、多目的トレイ５に記録用紙がセットされると、用紙セット信号をバス２０へ出力する。
【００２２】
制御部１１は、バス２０を介して、第１トレイ装着信号、第１トレイ離脱信号、第２トレイ装着信号、第２トレイ離脱信号および用紙セット信号を取得可能である。
制御部１１は例えばＣＰＵを備える。記憶部１２は、例えばＲＯＭ、ＲＡＭ、ＮＶＲＡＭ、フラッシュメモリなどの半導体メモリを有する。即ち、本実施形態の画像処理装置１０は、ＣＰＵ及び半導体メモリを含む、マイクロコンピュータを備えている。
【００２３】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって（即ち、ソフトウェア処理によって）実現することに限るものではなく、その一部又は全部について、一つあるいは複数のハードウェアを用いて実現してもよい。
【００２４】
記憶部１２には、図２〜図６に示す画面を含む各種画面のデータが記憶されている。また、記憶部１２には、図７〜図９に示すトレイ設定処理のプログラム、なども記憶されている。
【００２５】
表示部１３は、各種情報を表示するための表示デバイスを有する。本実施形態の表示部１３は、表示デバイスとしてディスプレイ１３ａを有する。
入力部１４は、各種入力操作を受け付けるための入力用デバイスを有する。本実施形態の入力部１４は、入力用デバイスとしてタッチパネル１４ａを有する。タッチパネル１４ａは、ディスプレイ１３ａにおける、画像が表示される画像表示領域に重畳配置される。
【００２６】
ディスプレイ１３ａの画像表示領域に重畳配置されたタッチパネル１４ａは、画像表示領域に対する、指示体による接触又は近接による指示操作を検出可能である。即ち、タッチパネル１４ａは、画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００２７】
なお、タッチパネル１４ａは、指示操作として接触のみ検出可能な構成であってもよいし、近接のみ検出可能な構成であってもよいし、接触及び近接の両方を検出可能な構成であってもよい。
【００２８】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２９】
制御部１１が検出可能な特定の操作には、例えば、タップ操作、フリック操作、ドラッグ操作などが含まれる。タップ操作は、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００３０】
読取部１５は、イメージセンサを備え、画像が記録された原稿におけるその画像を読み取り、読み取った画像（以下、「スキャン画像」と称する）の画像データ（以下、「スキャンデータ」と称する）を生成する。
【００３１】
印刷部１６は、インクジェット技術や電子写真技術の印刷機構を有し、シート状の記録用紙に画像を印刷することが可能である。印刷機構は、いずれかのトレイから記録用紙を１枚取り出し、その記録用紙を搬送させつつその記録用紙に着色剤を吐出または転写することによって、記録用紙に画像を印刷する。
【００３２】
本実施形態では、第１トレイ３、第２トレイ４および多目的トレイ５のそれぞれについて、載置される記録用紙の用紙サイズおよび用紙タイプを設定することができる。以下、各トレイに設定される用紙サイズおよび用紙タイプのことを、トレイ設定情報と称する。制御部１１は、印刷部１６に画像を印刷させる際、各トレイに設定されているトレイ設定情報を適宜参照することにより、良好な品質の画像を印刷させることができる。
【００３３】
例えば、コピー機能を実行する際、制御部１１は、使用トレイをユーザに選択させることができる。即ち、ユーザは、コピー機能においてどのトレイの記録用紙に画像を印刷させたいかを選択することができる。使用トレイが選択されると、制御部１１は、その選択されたトレイに設定されているトレイ設定情報に基づいて印刷部１６を制御することにより、適正な品質で画像を印刷させることができる。
【００３４】
また、ユーザは、使用トレイについて、特定のトレイに設定できるほか、画像処理装置１０に自動選択させるように設定することもできる。使用トレイが自動選択に設定されている場合は、制御部１１は、例えば、各トレイのトレイ設定情報と、印刷させる画像のサイズや向きなどの画像特性とを比較して、印刷に適した記録用紙が載置されているトレイを自動で選択する。そして、その選択したトレイの記録用紙に画像を印刷させる。
【００３５】
また、制御部１１は、コピー機能の実行時、画像を印刷させる記録用紙の用紙サイズ及び用紙タイプのそれぞれについて、複数の選択肢の中から１つをユーザに選択させることができる。その際、使用トレイが特定のトレイに設定されている場合は、制御部１１は、用紙サイズおよび用紙タイプの選択肢を、設定されている使用トレイのトレイ設定情報に応じて適宜絞り込んで表示させる。
【００３６】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００３７】
第１通信部１８は、画像処理装置１０を不図示のネットワークに接続するための通信インタフェースである。ネットワークは、例えば有線ＬＡＮであってもよいし、無線ＬＡＮであってもよいし、他の無線通信ネットワークであってもよい。画像処理装置１０は、第１通信部１８を介して、パソコンやスマートフォン、タブレット端末などの各種情報処理装置とデータ通信可能である。また、画像処理装置１０は、第１通信部１８を介してインターネットに接続し、インターネットを介して他の各種サーバや各種情報処理装置などとデータ通信可能である。
【００３８】
第２通信部１９は、通信回線１５０を通じて外部機器と通信を行うためのインタフェース部である。第２通信部１９に接続される通信回線１５０は、本実施形態では例えば公衆電話網である。ファクス機能におけるファクシミリデータの送受信は、基本的には、第２通信部１９を介して行われる。
【００３９】
（２）トレイ設定画面およびこれを起点とする画面遷移例
画像処理装置１０に電源が投入され、制御部１１が起動すると、制御部１１は、表示部１３に、図２に示す待機画面４０を表示する。待機画面４０は、ユーザが画像処理装置１０において各種機能を実行させる際の起点となる画面である。
【００４０】
待機画面４０には、機能を実行させるための複数の機能ボタンが表示される。図３に示す待機画面４０には、複数の機能ボタンとして、ファクスボタン４１、コピーボタン４２及びスキャンボタン４３が例示されている。ファクスボタン４１が選択操作されると、制御部１１は、ファクス機能を実行する。コピーボタン４２が選択操作されると、制御部１１は、コピー機能を実行する。スキャンボタン４３が選択操作されると、制御部１１は、スキャン機能を実行する。選択操作はどのような操作であってもよく、本実施形態では例えばタップである。
【００４１】
待機画面４０が表示されている状態で、第１トレイ３、第２トレイ４および多目的トレイ５のうちのいずれかが特定操作されると、その特定操作されたトレイに対応したトレイ設定画面が表示される。特定操作はどのような操作であってもよく、例えばトレイを画像処理装置１０に装着する操作であってもよいし、トレイを画像処理装置１０から離脱させる操作であってもよいし、トレイに記録用紙をセット（即ち載置）する操作であってもよい。
【００４２】
本実施形態では、第１トレイ３および第２トレイ４における特定操作は、例えば、画像処理装置１０から離脱させることであり、多目的トレイ５における特定操作は、例えば、多目的トレイ５に記録用紙がセットされることである。
【００４３】
制御部１１は、第１トレイセンサ２３から第１トレイ離脱信号が出力されることによって、第１トレイ３に特定操作がなされたことを検知できる。制御部１１は、第２トレイセンサ２４から第２トレイ離脱信号が出力されることによって、第２トレイ４に特定操作がなされたことを検知できる。制御部１１は、用紙センサ２５から用紙セット信号が出力されることによって、多目的トレイ５に特定操作がなされたことを検知できる。以下、特定操作がなされたことが検知されたトレイのことを「検知トレイ」と称する。
【００４４】
図２〜図４においては、一例として、第１トレイ３が特定操作された場合の画面遷移例を示している。待機画面４０が表示されている状態で、第１トレイ３が特定操作されると、表示部１３に、図２に例示するトレイ設定画面４５が表示される。
【００４５】
トレイ設定画面４５は、検知トレイに載置される記録用紙のトレイ設定情報の設定を受け付けるための画面である。トレイ設定画面４５は、未変更ボタン４６と、カスタムメニューボタン４７と、手動設定ボタン４８とを含む。
【００４６】
未変更ボタン４６には、検知トレイに現在設定されているトレイ設定情報が表示される。図２では、用紙サイズが「Ａ４」で用紙タイプが「普通紙」のトレイ設定情報が検知トレイに現在設定されていることを例示している。未変更ボタン４６が選択操作されると、検知トレイに現在設定されているトレイ設定情報が維持され、表示部１３に表示される画面は待機画面４０に切り替わる。
【００４７】
手動設定ボタン４８が選択操作されると、不図示の設定値選択画面が表示される。ユーザは、設定値選択画面を介して、用紙タイプ及び用紙サイズを選択することができる。そして、設定値選択画面を介して選択された用紙タイプ及び用紙サイズが、検知トレイの新たなトレイ設定情報として設定され、表示部１３に表示される画面は待機画面４０に切り替わる。
【００４８】
カスタムメニューボタン４７が選択操作されると、表示部１３に、図２に例示するカスタムメニュー画面５０が表示される。カスタムメニュー画面５０は、複数のカスタムボタンを含む。本実施形態のカスタムメニュー画面５０は、第１カスタムボタン５１、第２カスタムボタン５２及び第３カスタムボタン５３を含む。
【００４９】
本実施形態では、ユーザは、任意に選択した特定の１つの用紙タイプと特定の１つの用紙サイズとの組合せを、カスタム用紙設定として登録することができる。本実施形態では、例えば、カスタム用紙設定Ｃ１，Ｃ２，Ｃ３の３種類のカスタム用紙設定を登録することができる。ユーザは、例えばよく使用する組合せをカスタム用紙設定として登録しておくことで、その登録しておいたカスタム用紙設定を容易にトレイ設定情報に設定することができる。
【００５０】
カスタムメニュー画面５０において、第１カスタムボタン５１にはカスタム用紙設定Ｃ１が対応付けられており、第２カスタムボタン５２にはカスタム用紙設定Ｃ２が対応付けられており、第３カスタムボタン５３にはカスタム用紙設定Ｃ３が対応付けられている。
【００５１】
各カスタムボタン５１〜５３のうち、対応するカスタム用紙設定がまだ登録されていないボタンは、グレーアウト表示されて、選択操作できない。
図２のカスタムメニュー画面５０は、カスタム用紙設定Ｃ２，Ｃ３が未登録であることにより対応する第２カスタムボタン５２および第３カスタムボタン５３がグレーアウト表示されている例を示している。一方、カスタム用紙設定Ｃ１はすでに登録されている。この場合、対応する第１カスタムボタン５１には、カスタム用紙設定Ｃ１の登録内容、即ち用紙タイプと用紙サイズの組合せを示す組合せ情報が表示される。図２の例では、カスタム用紙設定Ｃ１として、用紙サイズ「Ａ４」及び用紙タイプ「普通紙」が登録されている例を示している。
【００５２】
ユーザは、登録されているカスタム用紙設定を、検知トレイのトレイ設定情報として設定することができる。即ち、カスタムメニュー画面５０において、いずれかのカスタムボタンが選択操作されると、その選択操作されたカスタムボタンに対応したカスタム用紙設定が、検知トレイのトレイ設定情報として設定され、表示部１３に表示される画面は待機画面４０に切り替わる。
【００５３】
カスタムメニュー画面５０には、編集ボタン５４が含まれている。編集ボタン５４が選択操作されると、表示部１３に、図２に例示する編集メニュー画面５５が表示される。編集メニュー画面５５は、変更ボタン５６と削除ボタン５７とを含む。ユーザは、削除ボタン５７を選択操作することにより、登録されているカスタム用紙設定の登録を削除することができる。
【００５４】
編集メニュー画面５５において、変更ボタン５６が選択操作されると、表示部１３に、図３に例示する変更対象選択画面５９が表示される。ユーザは、この変更対象選択画面５９を起点として、カスタム用紙設定Ｃ１〜Ｃ３のいずれかの登録内容を変更することができる。
【００５５】
変更対象選択画面５９には、カスタムメニュー画面５０（図２参照）と同様に、カスタム用紙設定Ｃ１〜Ｃ３のそれぞれに対応したカスタムボタン５１〜５３が表示される。ユーザは、カスタムボタン５１〜５３のうち、登録内容を変更したいカスタム用紙設定に対応したボタンを選択することで、そのカスタム用紙設定の登録内容を変更できる。
【００５６】
変更対象選択画面５９において、例えば第１カスタムボタン５１が選択操作されると、表示部１３に、図３に例示するカスタム設定画面６０が表示される。カスタム設定画面６０には、名称ボタン６１と、用紙タイプボタン６２と、用紙サイズボタン６３と、便利設定ボタン６４と、ＯＫボタン６５とが含まれる。
【００５７】
名称ボタン６１には、カスタム用紙設定Ｃ１の現在の名称が表示される。名称ボタン６１が選択操作されると、ユーザによるカスタム用紙設定Ｃ１の名称の入力を受け付けるための名称受付処理が行われることにより、カスタム用紙設定Ｃ１の名称が設定される。名称受付処理の終了後は、カスタム設定画面６０の名称ボタン６１にその変更後の名称が表示され、カスタムメニュー画面５０および変更対象選択画面５９の第１カスタムボタン５１にもその変更後の名称が表示される。
【００５８】
用紙タイプボタン６２が選択操作されると、ユーザによるカスタム用紙設定Ｃ１の用紙タイプの設定入力を受け付けるための用紙タイプ受付処理が行われることにより、カスタム用紙設定Ｃ１の用紙タイプが設定される。
【００５９】
用紙サイズボタン６３が選択操作されると、ユーザによるカスタム用紙設定Ｃ１の用紙サイズの設定入力を受け付けるための用紙サイズ受付処理が行われることにより、カスタム用紙設定Ｃ１の用紙サイズが設定される。
【００６０】
ＯＫボタン６５が選択操作されると、現在設定されているカスタム用紙設定Ｃ１の用紙タイプ及び用紙サイズの組合せが、カスタム用紙設定Ｃ１として登録され、表示部１３の画面は変更対象選択画面５９に切り替わる。
【００６１】
カスタム設定画面６０において、便利設定ボタン６４が選択操作されると、表示部１３に、図３に例示する便利設定画面７０が表示される。ユーザは、便利設定画面７０を起点として、変更対象のカスタム用紙設定を任意のトレイと対応付けて頻繁使用設定として登録することができる。図３の例では、変更対象のカスタム用紙設定はカスタム用紙設定Ｃ１であるため、カスタム用紙設定Ｃ１を任意のトレイと対応付けて頻繁使用設定として登録することができる。頻繁使用設定が登録されると、その登録された頻繁使用設定に対応したトレイが特定操作されたときに表示されるトレイ設定画面４５に、頻繁使用設定値ボタン４９（図５，図６参照）が表示される。ユーザは、頻繁使用設定値ボタン４９を選択操作することで、検知トレイのトレイ設定情報をその頻繁使用設定値ボタン４９に対応した頻繁使用設定における用紙タイプ及び用紙サイズに設定することができる。
【００６２】
便利設定画面７０には、図３に例示するように、頻繁使用設定ボタン７１と、頻繁使用トレイ設定ボタン７２と、ＯＫボタン７３とが含まれる。頻繁使用設定ボタン７１は、変更対象のカスタム用紙設定を頻繁使用設定として登録、または頻繁使用設定としての登録を削除するためのボタンである。変更対象のカスタム用紙設定が頻繁使用設定として登録されていない場合は、頻繁使用トレイ設定ボタン７２は、図３の右下に例示するように、グレーアウト表示されて、選択操作できない状態にされる。一方、変更対象のカスタム用紙設定が頻繁使用設定としてすでに登録されている場合は、頻繁使用トレイ設定ボタン７２は、図３の左下に例示するように、グレーアウト表示されず、選択操作できる状態にされる。
【００６３】
便利設定画面７０において、頻繁使用トレイ設定ボタン７２が選択操作されると、表示部１３に、図４に例示する頻繁使用トレイ選択画面７５が表示される。頻繁使用トレイ選択画面７５には、全トレイボタン７６と、第１トレイボタン７７と、第２トレイボタン７８と、多目的トレイボタン７９とが表示される。ユーザは、いずれかのボタンを選択操作することで、変更対象のカスタム用紙設定と対応づけるトレイである頻繁使用トレイを選択することができる。例えば、第１トレイボタン７７が選択操作されると、第１トレイ３が頻繁使用トレイに設定され、変更対象のカスタム用紙設定と第１トレイ３とが対応付けられた頻繁使用設定が登録される。また例えば、全トレイボタン７６が選択操作されると、全てのトレイ３，４，５がそれぞれ頻繁使用トレイに設定され、変更対象のカスタム用紙設定と全てのトレイ３，４，５の各々とが対応付けられた３つの頻繁使用設定が登録される。
【００６４】
便利設定画面７０において、頻繁使用設定ボタン７１が選択操作されると、表示部１３に、図４に例示する頻繁使用設定画面８０が表示される。頻繁使用設定画面８０には、オフボタン８１とオンボタン８２とが表示される。オフボタン８１が選択操作されると、頻繁使用設定がオフに設定され、登録が削除される。オンボタン８２が選択操作されると、頻繁使用設定がオンに設定され、頻繁使用設定の登録が可能となる。即ち、前述のように頻繁使用トレイ選択画面７５を介して頻繁使用トレイを設定することによりその頻繁使用トレイとカスタム用紙設定とが対応付けられた頻繁使用設定を登録することができる。
【００６５】
なお、オンボタン８２が選択操作される前に、変更対象のカスタム用紙設定とは別のカスタム用紙設定がすでに頻繁使用設定として登録されている場合は、オンボタン８２が選択操作されると、変更対象のカスタム用紙設定が頻繁使用設定として登録されることに加えて、図４に例示するように表示順設定画面８５が表示される。
【００６６】
表示順設定画面８５は、複数のカスタム用紙設定が頻繁使用設定として登録されている場合に、トレイ設定画面４５（図２、図５、図６参照）における、その複数の頻繁使用設定の各々に対応した複数の頻繁使用設定値ボタン４９の表示順を設定するための画面である。表示順設定画面８５には、頻繁使用設定として登録されているカスタム用紙設定の各々に対応したカスタムボタンと、上ボタン８６と、下ボタン８７と、ＯＫボタン８８とが表示される。
【００６７】
ユーザは、表示順設定画面８５において上ボタン８６または下ボタン８７を選択操作することで、表示順を変更することができる。例えば、図４の例においては、２つのカスタムボタン５１，５２のうち第１カスタムボタン５１が選択操作されると、その選択操作されたカスタムボタン５１が変更対象に設定される。変更対象に設定されたカスタムボタンは、図４に例示するように、他のカスタムボタンとは異なる表示態様で表示される。
【００６８】
第１カスタムボタン５１が変更対象に設定された状態で、下ボタン８７が選択操作されると、図４に例示するように、第１カスタムボタン５１が１つ下に移動し、代わりに、移動前に１つ下に配置されていた第２カスタムボタン５２が第１カスタムボタン５１の上に移動する。なお、この状態で上ボタン８６が選択操作されると、第１カスタムボタン５１が１つ上に移動し、第２カスタムボタン５２と入れ替わる。そして、ＯＫボタン８８が選択操作されると、そのとき表示順設定画面８５に表示されていた各カスタムボタンの位置関係が、トレイ設定画面４５における、対応する頻繁使用設定の頻繁使用設定値ボタン４９の表示順序として確定する。
【００６９】
次に、頻繁使用設定が登録されている場合に表示されるトレイ設定画面４５の一例を、図５及び図６を参照して説明する。ここで、設定パターン１および設定パターン２を想定する。
【００７０】
設定パターン１は、カスタム用紙設定Ｃ２として用紙タイプ「光沢紙」と用紙サイズ「Ｌ判」とが登録されていて、そのカスタム用紙設定Ｃ２が第１トレイ３と対応付けられて（つまり第１トレイ３が頻繁使用トレイとして）頻繁使用設定に登録されている設定例を示す。なお、設定パターン１は、カスタム用紙設定Ｃ１，Ｃ３については未登録であるものとする。
【００７１】
設定パターン２は、カスタム用紙設定Ｃ１として用紙タイプ「普通紙」と用紙サイズ「Ａ４」とが設定されていて、そのカスタム用紙設定Ｃ１がすべてのトレイ３〜５の各々と対応付けられて頻繁使用設定に登録されている設定例を示す。なお、カスタム用紙設定Ｃ２，Ｃ３については未登録であるものとする。
【００７２】
設定パターン１において、例えば第１トレイ３が画像処理装置１０から離脱されると、図５に例示するように、表示部１３に第１トレイ３のトレイ設定画面４５が表示される。このトレイ設定画面４５においては、図２に例示したトレイ設定画面４５と同様に未変更ボタン４６，カスタムメニューボタン４７および手動設定ボタン４８が表示されるのに加え、カスタム用紙設定Ｃ２が第１トレイ３と対応付けられて頻繁使用設定として登録されていることに応じて、その頻繁使用設定を示す頻繁使用設定値ボタン４９が表示される。
【００７３】
頻繁使用設定値ボタン４９には、頻繁使用設定として登録されているカスタム用紙設定Ｃ２の名称とその設定情報（用紙タイプと用紙サイズの組合せ）が表示される。ユーザは、頻繁使用設定値ボタン４９を選択操作することで、第１トレイ３のトレイ設定情報としてカスタム用紙設定Ｃ２を設定することができる。
【００７４】
なお、第１トレイ３が頻繁使用トレイに設定された頻繁使用設定が２つ以上登録されている場合は、その２つの頻繁使用設定に対応した２つの頻繁使用設定値ボタンが、前述の表示順設定画面８５（図４参照）で設定された表示順にて表示される。
【００７５】
設定パターン１において、例えば多目的トレイ５に記録用紙がセットされると、図５に例示するように、表示部１３に多目的トレイ５のトレイ設定画面９０が表示される。このトレイ設定画面９０においても、図２に例示したトレイ設定画面４５と同様に未変更ボタン４６，カスタムメニューボタン４７および手動設定ボタン４８が表示される。一方、多目的トレイ５が頻繁使用トレイに設定された頻繁使用設定は登録されていないため、頻繁使用設定値ボタンは表示されない。
【００７６】
次に、設定パターン２において、例えば第１トレイ３が画像処理装置１０から離脱されると、図６に例示するように、表示部１３に第１トレイ３のトレイ設定画面４５が表示される。設定パターン２では、カスタム用紙設定Ｃ１が、第１トレイ３を含む全てのトレイと対応付けられて頻繁使用設定として登録されている。ただし、頻繁使用設定として登録されているカスタム用紙設定Ｃ１の用紙タイプ「普通紙」及び用紙サイズ「Ａ４」は、第１トレイ３のトレイ設定情報として現在設定されている用紙タイプ及び用紙サイズに一致する。そのため、カスタム用紙設定Ｃ１に対応した頻繁使用設定値ボタンは表示されない。ただし、この場合もカスタム用紙設定Ｃ１に対応した頻繁使用設定値ボタンが表示される仕様であってもよい。
【００７７】
設定パターン２において、例えば多目的トレイ５に記録用紙がセットされると、図６に例示するように、表示部１３に多目的トレイ５のトレイ設定画面９０が表示される。この場合、カスタム用紙設定Ｃ１が多目的トレイ５と対応付けられて頻繁使用設定として登録されていることに応じて、その頻繁使用設定を示す頻繁使用設定値ボタン４９が表示される。ユーザは、この頻繁使用設定値ボタン４９を選択操作することで、多目的トレイ５のトレイ設定情報としてカスタム用紙設定Ｃ１を設定することができる。
【００７８】
なお、カスタム用紙設定Ｃ１〜Ｃ３自体は、トレイとは無関係の、特定の用紙タイプと特定の用紙サイズとの組合せを示す設定値である。そのため、多目的トレイ５が特定操作された場合に表示されるトレイ設定画面９０においても、カスタムメニューボタン４７が選択操作されると、図２に例示するカスタムメニュー画面５０が表示される。そして、そのカスタムメニュー画面５０が表示された後の処理および画面遷移も、前述の第１トレイ３が特定操作された場合の処理および画面遷移例と同じである。第２トレイ４が特定操作された場合に表示されるトレイ設定画面においてカスタムメニューボタン４７が選択操作された場合も同様である。
【００７９】
（３）トレイ設定処理
次に、制御部１１が実行するトレイ設定処理について説明する。制御部１１は、例えば表示部１３に待機画面４０が表示されている間、図７〜図９に示すトレイ設定処理を特定の制御終期で繰り返し実行する。制御部１１は、記憶部１２に記憶されている、トレイ設定処理のプログラムを読み込んで、そのプログラムに従ってトレイ設定処理を実行する。図２〜図６に例示した画面遷移例は、制御部１１がトレイ設定処理を実行することにより達成される。
【００８０】
制御部１１は、トレイ設定処理を開始すると、Ｓ１１０で、特定操作が検知されたトレイがあるか否か判断する。特定操作が検知されたトレイがない場合は、トレイ設定処理を終了する。特定操作が検知されたトレイがある場合は、Ｓ１２０に移行する。
【００８１】
Ｓ１２０では、検知トレイが対応付けられた頻繁使用設定を取得する。Ｓ１３０では、取得した頻繁使用設定のうち、検知トレイのトレイ設定情報として現在設定されているトレイ設定と一致するものがあるか否か判断する。現在のトレイ設定と一致する頻繁使用設定がない場合は、Ｓ１５０に移行する。現在のトレイ設定と一致する頻繁使用設定がある場合は、Ｓ１４０に移行する。Ｓ１４０では、現在のトレイ設定と一致する頻繁使用設定に対応する頻繁使用設定値ボタンを、トレイ設定画面における非表示対象に設定する。
【００８２】
Ｓ１５０では、検知トレイのトレイ設定画面を表示部１３に表示する。このとき、Ｓ１４０で非表示対象に設定された頻繁使用設定値ボタンは表示されない。ただし、その非表示対象に設定された頻繁使用設定値ボタンに対応する頻繁使用設定は、トレイ設定画面において未変更ボタン４６に表示される。
【００８３】
Ｓ１６０では、トレイ設定画面において選択操作されたボタンを判断する。トレイ設定画面において未変更ボタン４６が選択操作された場合は、検知トレイの現在のトレイ設定を維持したまま、Ｓ１７０に移行して表示部１３に待機画面４０を表示し、トレイ設定処理を終了する。
【００８４】
Ｓ１６０で、トレイ設定画面において手動設定ボタン４８が選択操作された場合は、Ｓ１８０に移行する。Ｓ１８０では、検知トレイに対応した前述の設定値選択画面を表示部１３に表示する。Ｓ１９０では、設定値選択画面に対して入力部１４を介して行われる入力操作に応じて、検知トレイの用紙タイプ及び用紙サイズを設定する。そして、ここで設定した用紙タイプおよび用紙サイズを、検知トレイの新たなトレイ設定情報として設定して、Ｓ１７０に移行する。
【００８５】
Ｓ１６０で、トレイ設定画面において頻繁使用設定値ボタン４９が選択操作された場合は、Ｓ２００に移行する。Ｓ２００では、検知トレイのトレイ設定情報を、選択操作された頻繁使用設定値ボタン４９に対応した頻繁使用設定において設定されている設定値に変更して、Ｓ１７０に移行する。
【００８６】
Ｓ１６０で、トレイ設定画面においてカスタムメニューボタン４７が選択操作された場合は、Ｓ２１０（図８参照）に移行する。Ｓ２１０では、未登録のカスタム用紙設定があるか否か判断する。未登録のカスタム用紙設定がない場合、即ちカスタム用紙設定Ｃ１〜Ｃ３のそれぞれに用紙タイプ及び用紙サイズの組み合わせが登録されている場合は、Ｓ２３０に移行する。未登録のカスタム用紙設定がある場合は、Ｓ２２０に移行する。Ｓ２２０では、未登録のカスタム用紙設定に対応したカスタムボタンを、グレーアウト表示するように設定する。
【００８７】
Ｓ２３０では、表示部１３にカスタムメニュー画面５０（図２参照）を表示する。このとき、Ｓ２２０でグレーアウト表示するように設定されたカスタムボタンは、グレーアウト表示されて選択操作できない状態にされる。Ｓ２４０では、カスタムメニュー画面５０において選択操作されたボタンを判断する。カスタムメニュー画面５０において何れかのカスタムボタンが選択操作された場合は、Ｓ３３０に移行する。Ｓ３３０では、検知トレイのトレイ設定情報を、選択操作されたカスタムメニューボタンに対応したカスタム用紙設定の設定値に変更する。Ｓ３３０の処理後は１７０（図７参照）に移行する。
【００８８】
Ｓ２４０で、カスタムメニュー画面５０において編集ボタン５４が選択操作された場合は、Ｓ２５０に移行する。Ｓ２５０では、カスタム用紙設定が全て未登録か否か判断する。登録されているカスタム用紙設定が１つでもある場合はＳ２７０に移行し、全て未登録の場合はＳ２６０に移行する。
【００８９】
Ｓ２６０では、削除ボタン５７をグレーアウト表示するように設定する。Ｓ２７０では、表示部１３に編集メニュー画面５５（図２参照）を表示する。このとき、Ｓ２６０で削除ボタン５７がグレーアウト表示するように設定された場合は、削除ボタン５７がグレーアウト表示されて選択操作できない状態にされる。
【００９０】
Ｓ２８０では、編集メニュー画面５５において選択操作されたボタンを判断する。編集メニュー画面５５において削除ボタン５７が選択操作された場合は、Ｓ２９０に移行する。Ｓ２９０では、削除対象のカスタム用紙設定を受け付ける。Ｓ３００では、Ｓ２９０で受け付けられたカスタム用紙設定の登録を削除する。Ｓ３００の処理後はＳ２１０に移行する。
【００９１】
なお、Ｓ３００の登録削除処理は、例えば、Ｓ２９０で受け付けられたカスタム用紙設定における各種設定値を初期値に戻す処理を含む。具体的には、例えば、カスタム用紙設定の名称を、初期値である「カスタム用紙設定Ｃｎ」（ｎは１〜３のいずれか）に設定し、用紙サイズおよび用紙タイプは未設定とし、頻繁使用設定をオフに設定し、頻繁使用トレイを、初期値である「すべて」に設定する。
【００９２】
Ｓ２８０で、編集メニュー画面５５において変更ボタン５６が選択操作された場合は、Ｓ３１０に移行する。Ｓ３１０では、表示部１３に変更対象選択画面５９（図３参照）を表示する。Ｓ３２０では、変更対象選択画面５９に対するユーザの選択操作に応じて、変更対象のカスタム用紙設定Ｃｘ（ｘは１〜３のいずれか）を決定し、Ｓ４１０（図９参照）に移行する。
【００９３】
Ｓ４１０では、カスタム用紙設定Ｃｘに対応したカスタム設定画面６０（図３参照）を表示部１３に表示する。Ｓ４２０では、カスタム設定画面６０において選択操作されたボタンを判断する。
【００９４】
カスタム設定画面６０において名称ボタン６１，用紙タイプボタン６２及び用紙サイズボタン６３のうちのいずれかが選択操作された場合は、Ｓ５４０に移行する。Ｓ５４０では、選択操作されたボタンに対応した設定画面を表示する。Ｓ５５０では、設定画面に対するユーザの入力操作に応じて、対応する設定値（名称、用紙タイプ又は用紙サイズ）を設定する。Ｓ５５０の処理後は、Ｓ４１０に移行して再びカスタム用紙設定Ｃｘのカスタム設定画面６０を表示する。
【００９５】
Ｓ４２０で、カスタム設定画面６０において便利設定ボタン６４が選択操作された場合は、Ｓ４３０に移行する。Ｓ４３０では、カスタム用紙設定Ｃｘの頻繁使用設定がオフに設定されているか否か判断する。カスタム用紙設定Ｃｘの頻繁使用設定がオフに設定されている場合は、Ｓ４５０に移行する。カスタム用紙設定Ｃｘの頻繁使用設定がオンに設定されている場合は、Ｓ４４０に移行する。
【００９６】
Ｓ４４０では、頻繁使用トレイ設定ボタン７２をグレーアウト表示するように設定する。Ｓ４５０では、表示部１３に便利設定画面７０（図３参照）を表示する。このとき、Ｓ４４０で頻繁使用トレイ設定ボタン７２がグレーアウト表示するように設定された場合は、頻繁使用トレイ設定ボタン７２がグレーアウト表示されて選択操作できない状態にされる。
【００９７】
Ｓ４６０では、便利設定画面７０において選択操作されたボタンを判断する。便利設定画面７０において、頻繁使用トレイ設定ボタン７２が選択操作された場合は、Ｓ４７０に移行する。Ｓ４７０では、表示部１３に頻繁使用トレイ選択画面７５（図４参照）を表示する。Ｓ４８０では、頻繁使用トレイ選択画面７５に対するユーザの入力操作に応じて、頻繁使用トレイを設定する。Ｓ４８０の処理後はＳ４３０に移行する。
【００９８】
Ｓ４６０で、便利設定画面７０において頻繁使用設定ボタン７１が選択操作された場合は、Ｓ４９０に移行する。Ｓ４９０では、表示部１３に頻繁使用設定画面８０（図４参照）を表示する。Ｓ５００では、頻繁使用設定がオフからオンに変更されたか否か、頻繁使用設定がオフされている状態で頻繁使用設定画面８０においてオンボタン８２が選択操作されたか否か判断する。頻繁使用設定がオフからオンに変更されていない場合は、Ｓ４５０に移行する。頻繁使用設定がオフからオンに変更された場合は、カスタム用紙設定Ｃｘを頻繁使用設定として登録し、Ｓ５１０に移行する。
【００９９】
Ｓ５１０では、頻繁使用設定がオンに設定された（即ち頻繁使用設定として登録された）カスタム用紙設定が２つ以上存在しているか否か判断する。頻繁使用設定がオンに設定されたカスタム用紙設定が１つの場合は、Ｓ４３０に移行する。頻繁使用設定がオンに設定されたカスタム用紙設定が２つ以上ある場合は、Ｓ５２０に移行する。
【０１００】
Ｓ５２０では、表示部１３に表示順設定画面８５（図４参照）を表示する。Ｓ５３０では、図４を用いて前述したように、表示順設定画面８５に対するユーザの入力操作に応じて、頻繁使用設定値ボタン４９としてトレイ設定画面に表示する際の表示順を設定する。Ｓ５３０の処理後、即ち表示順設定画面８５でＯＫボタン８８が選択操作された場合は、Ｓ４３０に移行する。
【０１０１】
（４）実施形態の効果
以上説明した実施形態によれば、以下の効果を奏する。
即ち、本実施形態の画像処理装置１０では、いずれかのトレイに用紙タイプ及び用紙サイズを対応づけて頻繁使用設定として登録しておくことで、そのトレイに対応したトレイ設定画面に、登録されている頻繁使用設定に対応した頻繁使用設定値ボタン４９を表示させることができる。ユーザは、頻繁使用設定値ボタン４９を選択操作することで、その頻繁使用設定値ボタン４９に対応した用紙タイプ及び用紙サイズを、そのトレイに載置されている記録用紙として容易に設定することができる。
【０１０２】
つまり、頻繁使用設定として登録されている用紙タイプおよび用紙サイズをトレイ設定情報として登録したい場合、例えば手動設定ボタン４８からの画面遷移に応じて手動で登録すると多くの手数が掛かるのに対し、頻繁使用設定値ボタン４９を選択操作することで非常に少ない手数で登録することができる。
【０１０３】
また、本実施形態では、ユーザは、特定の用紙タイプと特定の用紙サイズとの組合せをカスタム用紙設定として予め登録することができる。そして、そのカスタム用紙設定のうちのいずれかを、何れかのトレイのトレイ設定情報として登録することもできる。つまり、ユーザは、例えばよく使う可能性がある用紙タイプと用紙サイズの組合せをカスタム用紙設定として登録しておくことで、それらの組合せを必要に応じて容易にいずれかのトレイのトレイ設定情報として登録することができる。
【０１０４】
そして、登録されているカスタム用紙設定を、１つ以上の特定のトレイと紐付けることによって頻繁使用設定として登録することができる。これにより、頻繁使用設定の登録を効率的に行うことができる。また、カスタム用紙設定について、頻繁使用設定としても登録できるし、逆に、頻繁使用設定として登録する必要がなければ頻繁使用設定として登録しないようにすることもできる。
【０１０５】
また、本実施形態では、トレイ設定画面において、検知トレイに対応した頻繁使用設定が登録されていても、その頻繁使用設定の設定内容が、現在設定されている検知トレイのトレイ設定情報と一致する場合は、その頻繁使用設定に対応した頻繁使用設定値ボタン４９はトレイ設定画面に表示されない。その理由は、この場合においては現在設定されている検知トレイのトレイ設定情報は未変更ボタン４６に表示されるからである。これにより、トレイ設定画面において実質的に同じボタンが複数表示されることを抑制することができる。
【０１０６】
なお、本実施形態において、用紙タイプおよび用紙サイズは、設定要素の一例に相当する。第１トレイセンサ２３，第２トレイセンサ２４および用紙センサ２５は、いずれも検知部の一例に相当する。頻繁使用設定として登録される、カスタム用紙設定とトレイとが対応付けられた情報は、トレイ要素対応情報の一例に相当する。頻繁使用設定値ボタン４９は特定要素オブジェクトの一例に相当する。未変更ボタン４６は現設定要素オブジェクトの一例に相当する。カスタムメニューボタン４７は組合せオブジェクトの一例に相当する。変更対象選択画面５９は組合せ選択画面の一例に相当する。頻繁使用トレイ選択画面７５はトレイ選択画面の一例に相当する。表示順設定画面８５は表示位置決定画面の一例に相当する。
【０１０７】
また、Ｓ１５０の処理は設定画面表示処理の一例に相当する。Ｓ１７０の処理は設定維持処理の一例に相当する。Ｓ２００の処理はトレイ設定処理の一例に相当する。Ｓ３１０，Ｓ３２０，Ｓ４７０およびＳ４８０の処理は対応情報登録処理の一例に相当し、このうち特に、Ｓ３１０の処理は第１の選択画面表示処理の一例に相当し、Ｓ３２０の処理は第１の選択処理の一例に相当し、Ｓ４７０の処理は第２の選択画面表示処理の一例に相当し、Ｓ４８０の処理は第２の選択処理および選択登録処理の一例に相当する。Ｓ５２０の処理は位置決定表示処理の一例に相当する。Ｓ５３０の処理は位置決定処理の一例に相当する。Ｓ５４０，Ｓ５５０の処理は組合せ情報登録処理の一例に相当する。Ｓ１６０からＳ２３０およびＳ２４０を経てＳ３３０に至る処理は選択設定処理の一例に相当する。
【０１０８】
（５）他の実施形態
以上、本発明の実施形態について説明したが、本発明は上述の実施形態に限定されることなく、種々変形して実施することができる。
【０１０９】
（５−１）各トレイに設定可能なトレイ設定情報が用紙タイプおよび用紙サイズを含むことは一例である。トレイ設定情報はどのような設定要素を含んでいてもよい。例えば、用紙タイプおよび用紙サイズに加えてさらに他の設定要素を含んでいてもよい。また例えば、用紙タイプ及び用紙サイズのうちのいずれか一方のみを含んでいてもよい。また例えば、用紙タイプ及び用紙サイズのうちのいずれか一方と、他の１つ以上の設定要素とを含んでいてもよい。
【０１１０】
（５−２）カスタム用紙設定を設定可能な数は、３つ以外であってもよい。また、設定可能なカスタム用紙設定の数に上限を設けてもよい。
頻繁使用設定についても、設定可能な数に上限を設けてもよい。この場合、トレイ毎に、そのトレイが登録対象にされた頻繁使用設定の数に上限を設けてもよい。頻繁使用設定そして、表示順設定画面８５に遷移する際に、頻繁使用設定の登録数が上限を超えている場合は、上限を超えていることをユーザに通知する画面を表示してもよい。
【０１１１】
（５−３）画像処理装置が備えるトレイの数は３つ以外であってもよい。また、画像処理装置が備えるトレイの種類もどのような種類であってもよい。
（５−４）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【０１１２】
３…第１トレイ、４…第２トレイ、５…多目的トレイ、１０…画像処理装置、１１…制御部、１２…記憶部、１３…表示部、１４…入力部、１５…読取部、１６…印刷部、１７…メディアＩ／Ｆ、２３…第１トレイセンサ、２４…第２トレイセンサ、２５…用紙センサ、４０…待機画面、４５，９０…トレイ設定画面、４６…未変更ボタン、４７…カスタムメニューボタン、４８…手動設定ボタン、４９…頻繁使用設定値ボタン、５０…カスタムメニュー画面、５５…編集メニュー画面、５９…変更対象選択画面、６０…カスタム設定画面、６４…便利設定ボタン、７０…便利設定画面、７５…頻繁使用トレイ選択画面、８０…頻繁使用設定画面、８５…表示順設定画面、１５０…通信回線。
【図１】
2020167455.tif 000003
【図２】
2020167455.tif 000004
【図３】
2020167455.tif 000005
【図４】
2020167455.tif 000006
【図５】
2020167455.tif 000007
【図６】
2020167455.tif 000008
【図７】
2020167455.tif 000009
【図８】
2020167455.tif 000010
【図９】
2020167455.tif 000011